(57)【特許請求の範囲】
【請求項１】
底面に清掃シートが取り付けられる左右一対の清掃面部と、この左右一対の清掃面部の対向する端部の各々から上方に突出した一対の側面部と、この一対の側面部の上端部同士を連結する天面部と、を備える治具と、
中空の管状部材で形成され、前記天面部で前記治具と連結された外柄と、
前記外柄の中空部分に挿入され、上部が突出した状態で当該中空部分を上下に移動可能な可動柄と、
前記可動柄に取り付けられ、前記可動柄が下方に押し込まれると、前記一対の側面部を内側に押圧する締め具と、を備え、
前記締め具により、前記一対の側面部が内側に押圧されると、前記一対の側面部の下端部同士が当接することを特徴とする掃除具。
【請求項２】
前記締め具は、
略Ｕ字状に屈曲され、その先端部が下方向を向くように前記可動柄に支持される挟み部材と、
前記挟み部材に挿入され、前記可動柄の上下動に伴って上下動する管状ストッパーと、を備え、
前記管状ストッパーの下方への移動に連動して、前記挟み部材の先端部同士が近接して、前記挟み部材の先端部が前記一対の側面部を内側に押圧することを特徴とする請求項１に記載の掃除具。
【請求項３】
前記一対の側面部は、各々前記一対の清掃面部との境界である折曲部を軸として、折り曲げ可能であることを特徴とする請求項１又は２記載の掃除具。
【請求項４】
前記一対の清掃面部の一方の底面にウェットタイプの清掃シート、他方の底面にドライタイプの清掃シートを取り付けたことを特徴とする請求項３に記載の掃除具。
【発明の詳細な説明】
【技術分野】
【０００１】
本発明は、掃除具に関する。
【背景技術】
【０００２】
従来、一般住宅において、床面等の汚れや埃などを除去するため、専用の治具に清掃シートを取り付けて払拭するタイプの掃除具が知られている。このタイプの掃除具においては、清掃シートで捕集しきれなかったゴミが残ってしまうため、払拭作業とは別に他の清掃用具（例えば、塵取り等）を用いたゴミの捕集作業が必要であった。
【０００３】
上記課題に対応したものとして、例えば、平板の治具に、中央域の厚みを相対的に厚く形成した清掃シートを取り付けることで、厚みが薄い周辺域にて比較的大きなゴミを掻き集めることが可能な技術が開示されている（例えば、特許文献１参照）。
また、治具の底面に組み合わされたスポンジを下向きに挟み合わせることで、地面のゴミを捕集可能な技術が開示されている（例えば、特許文献２参照）。
【先行技術文献】
【特許文献】
【０００４】
【特許文献１】特開平１０−５１６３号公報
【特許文献２】実用新案登録第３０６０１２８号公報
【発明の概要】
【発明が解決しようとする課題】
【０００５】
しかしながら、上記特許文献１記載の技術では、比較的大きなゴミであっても掻き集めることができるが、集めたゴミを捕集できるわけではない。従って、すべてのゴミを捕集するには、依然として塵取り等を用いた捕集作業が必要である。
また、上記特許文献２記載の技術では、地面のゴミを捕集することはできるが、ゴミを捕集したまま清掃作業を行うことができないので、清掃作業を続行するには捕集したゴミをゴミ箱等に捨てる必要があり、手間が掛かる。
【０００６】
本発明は、捕集したゴミをゴミ溜めに溜めたまま清掃作業を続行することができる掃除具を提供することを目的とする。
【課題を解決するための手段】
【０００７】
請求項１に記載の発明は、上記目的を達成するためになされたものであり、掃除具において、底面に清掃シートが取り付けられる左右一対の清掃面部と、この左右一対の清掃面部の対向する端部の各々から上方に突出した一対の側面部と、この一対の側面部の上端部同士を連結する天面部と、を備える治具と、
中空の管状部材で形成され、前記天面部で前記治具と連結された外柄と、
前記外柄の中空部分に挿入され、上部が突出した状態で当該中空部分を上下に移動可能な可動柄と、
前記可動柄に取り付けられ、前記可動柄が下方に押し込まれると、前記一対の側面部を内側に押圧する締め具と、を備え、
前記締め具により、前記一対の側面部が内側に押圧されると、前記一対の側面部の下端部同士が当接することを特徴とする。
【０００８】
請求項２に記載の発明は、請求項１に記載の掃除具において、前記締め具は、
略Ｕ字状に屈曲され、その先端部が下方向を向くように前記可動柄に支持される挟み部材と、
前記挟み部材に挿入され、前記可動柄の上下動に伴って上下動する管状ストッパーと、を備え、
前記管状ストッパーの下方への移動に連動して、前記挟み部材の先端部同士が近接して、前記挟み部材の先端部が前記一対の側面部を内側に押圧することを特徴とする。
【０００９】
請求項３に記載の発明は、請求項１又は２に記載の掃除具において、前記一対の側面部は、各々前記一対の清掃面部との境界である折曲部を軸として、折り曲げ可能であることを特徴とする。
【００１０】
請求項４に記載の発明は、請求項３に記載の掃除具において、前記一対の清掃面部の一方の底面にウェットタイプの清掃シート、他方の底面にドライタイプの清掃シートを取り付けたことを特徴とする。
【発明の効果】
【００１１】
本発明によれば、可動柄を下方に押し込むことでゴミ溜めを形成するとともにゴミ溜めにゴミを捕集することができるので、捕集したゴミをゴミ溜めに溜めたまま清掃作業を続行することができる。
また、清掃面部と側面部の境界である折曲部を軸として、側面部を折り曲げることができるので、例えば、一対の底面部の一方にウェットタイプの清掃シート、他方にドライタイプの清掃シートを取り付けることにより、清掃シートを取り替えることなく水拭きと乾拭きを連続して行うことができる。
【図面の簡単な説明】
【００１２】
【図１】本実施形態に係る掃除具１００の外観斜視図である。
【図２】可動柄３０の内部構造について示した斜視図である。
【図３】可動柄３０の内部構造について示した側面図である。
【図４】掃除具１００を用いたゴミＤ１の捕集開始時の様子について示した図である。
【図５】掃除具１００を用いたゴミＤ１の捕集動作の一例について示した図である。
【図６】ゴミＤ１の捕集開始時の可動柄３０の内部構造について示した図である。
【図７】ゴミＤ１の捕集動作時の可動柄３０の内部構造について示した図である。
【図８】側面部を清掃面部と鋭角を形成する方向に折り曲げた様子について示した図である。
【発明を実施するための形態】
【００１３】
以下、本発明の実施の形態を図面に基づいて説明する。
【００１４】
図１に示すように、本実施形態に係る掃除具１００は、床の汚れや埃などを払拭して除去するための清掃シートを取り付け可能な治具１０に、使用者が治具１０を操作するために握る外柄２０が連結されて構成されている。
治具１０は、底面に清掃シートＳ１、Ｓ２が取り付けられる左右一対の清掃面部３ａ、３ｂと、この左右一対の清掃面部３ａ、３ｂの対向する端部の各々から上方に突出した一対の側面部４ａ、４ｂと、この一対の側面部４ａ、４ｂの上端部同士を連結する天面部２と、を備える。より具体的には、治具１０は、略矩形状の平板を各折曲部１ａ、１ｂ、１ｃ、１ｄで所定の方向に折り曲げることにより、天面部２、清掃面部３ａ、３ｂ、側面部４ａ、４ｂ、に区画され、天面部２側に凸形状となるように形成されている。
【００１５】
外柄２０は、中空の円管状部材で形成され、天面部２の連結部５で治具１０と連結されている。外柄２０の中空部分の内径は、天面部２の短辺方向の長さ（幅）よりもわずかに大きな径となっている。これにより、天面部２と外柄２０の底面２１との接合面（連結部５）に、一対の隙間５１ａ、５１ｂが形成される。
【００１６】
また、外柄２０には、外柄２０の中空部分を上下に移動可能な可動柄３０が挿入されている。可動柄３０は、図２、３に示すように、底面部３１ａが開口された円筒体３１を成している。
可動柄３０には、可動柄３０の下方への移動に伴って、側面部４ａ、４ｂを内側に押圧する締め具４０が備えられている。
締め具４０は、円筒体３１の内壁に、長手方向が上下方向を向くように上面部３１ｂから底面部３１ａにかけて固定された支軸３２と、支軸３２の下端部近傍で支軸３２と連結された管状ストッパー３３と、略Ｕ字状に屈曲され、その一対の先端部３５ａ、３５ｂが下方向を向くように、スライド支持部３４により曲折部３５ｃ近傍を支軸３２に取り付けられた挟み部材３５と、を備えて構成されている。
【００１７】
円筒体３１と支軸３２の接合部には、円筒体３１の内壁の一部を上下に切り欠いた溝３２ａが形成されており、スライド支持部３４は、この溝３２ａにスライド自在に支持されている。このスライド支持部３４は、挟み部材３５と固着されている一方で、支軸３２とは固着されていないため、可動柄３０の上下動に係る支軸３２の上下動に対し、スライド支持部３４及びスライド支持部３４と固着された挟み部材３５は移動しない。
【００１８】
挟み部材３５は、その先端部３５ａ、３５ｂが、角管状の部材である管状ストッパー３３の中空部分を挿通した状態となっている。また、この先端部３５ａ、３５ｂは、管状ストッパー３３を介して円筒体３１の底面部３１ａを挿通する（図２、３参照）とともに、天面部２と外柄２０の底面２１との接合面に形成された隙間５１ａ、５１ｂを挿通し、治具１０の清掃面部３ａ、３ｂ上に設けられた固定部３６ａ、３６ｂで各々固定されている（図１参照）。
【００１９】
次に、本実施形態に係る掃除具１００を用いたゴミＤ１の捕集動作について説明する。
まず、使用者は、図４に示すように、捕集対象のゴミＤ１が治具１０の清掃面部３ａ、３ｂの間に位置するように掃除具１００を配置する。
次に、使用者が、図５に示すように、可動柄３０を下方に押し込む動作を行うと、治具１０の挟み部材３５の先端部３５ａ、３５ｂにより治具１０の側面部４ａ、４ｂが内側に押圧され、側面部４ａ、４ｂの下端部（折曲部１ａ、１ｄ）同士が接近して当接する。
【００２０】
具体的には、図６，７に示すように、使用者が可動柄３０を下方に押し込む動作を行うと、円筒体３１、支軸３２、管状ストッパー３３が下降する。一方、スライド支持部３４は支軸３２と固着されていないため、スライド支持部３４及びスライド支持部３４と固着された挟み部材３５の上下方向の位置に変更はない。本実施形態では、挟み部材３５がその先端部３５ａ、３５ｂに向かうにつれて先端部３５ａ、３５ｂ同士が開くように形成されており、挟み部材３５に対して管状ストッパー３３の位置が下降することで、挟み部材３５の管状ストッパー３３と接している部分が内側に押圧される。この押圧力が挟み部材３５の先端部３５ａ、３５ｂに伝わることで、治具１０の側面部４ａ、４ｂが内側に押圧され、側面部４ａ、４ｂの下端部同士（折曲部１ａ、１ｄ）が接近して当接する。
すなわち、使用者による可動柄３０の押し込み動作に係る管状ストッパー３３の下方への移動に連動して、挟み部材３５の先端部３５ａ、３５ｂ同士が近接して、挟み部材３５の先端部３５ａ、３５ｂが一対の側面部４ａ、４ｂを内側に押圧することで、側面部４ａ、４ｂの下端部同士（折曲部１ａ、１ｄ）が当接する。
【００２１】
この当接動作により、天面部２及び側面部４ａ、４ｂの各裏面でゴミ溜め６が形成されるとともに、治具１０の清掃面部３ａ、３ｂ間に位置するゴミＤ１がこのゴミ溜め６に捕集される。
【００２２】
次に、本実施形態に係る掃除具１００を用いた床面の払拭動作について説明する。
まず、使用者は、治具１０の各清掃面部３ａ、３ｂに、それぞれ清掃シートＳ１、Ｓ２を取り付ける（図８参照）。なお、清掃シートＳ１、Ｓ２の取り付け方法については特に制限はなく、清掃面部３ａ、３ｂの底面に取り付け可能であればいかなる方法であってもよい。例えば、清掃面部３ａ、３ｂの底面に清掃シートＳ１、Ｓ２をあてがい、底面からはみ出した部分の清掃シートＳ１、Ｓ２を治具１０の清掃面部３ａ、３ｂの上面に折り返し、清掃面部３ａ、３ｂの上面上に設けた取付部（図示せず）に挟み込むことで取り付ける方法等が挙げられる。
【００２３】
清掃シートＳ１、Ｓ２としては、例えば、親水性を有する繊維を主体として構成されたウェットタイプのシート材を用いることができる。親水性を有する繊維の例としては、例えば、レーヨン、リヨセル、テンセル、コットン等のセルロース系繊維、アクリル繊維等の親水性の合成繊維などが挙げられる。これらは単独で、又は２種以上を組み合わせて用いることができる。
また、例えば、疎水性を有する繊維を主体として構成されたドライタイプのシート材用いることができる。疎水性を有する繊維の例としては、例えば、ポリエチレン、ポリプロピレン及びポリビニルアルコール等のポリオレフィン系繊維、ポリエチレンテレフタレート、ポリブチレンテレフタレート等のポリエステル繊維や、ナイロン等のポリアミド系繊維が挙げられる。これらは単独で、又は２種以上を組み合わせて用いることができる。
本実施形態では、清掃シートＳ１にウェットタイプのシート材、清掃シートＳ２にドライタイプのシート材、を用いることにした。
【００２４】
次に、使用者は、図８（ａ）に示すように、ウェットタイプのシート材である清掃シートＳ１を取り付けた清掃面部３ａを床面に接触させ、磨き擦るように床面を払拭する。このとき、もう一方の清掃面部３ｂが床面に接触しないように、折曲部１ａを軸として側面部４ａを清掃面部３ａ側に折り曲げる。本実施形態では、治具１０の側面部４ａは、清掃面部３ａとの境界である折曲部１ａを軸として、清掃面部３ａと鋭角を形成する方向に折り曲げることができるようになっている。これにより、ウェットタイプの清掃シートＳ１のみを床面に接触させることができるので、ドライタイプの清掃シートＳ２を汚さずに床面の水拭き作業を行うことができる。
【００２５】
使用者は、ウェットタイプの清掃シートＳ１による床面の水拭き作業を終えると、図８（ｂ）に示すように、ドライタイプのシート材である清掃シートＳ２を取り付けた清掃面部３ｂを床面に接触させ、磨き擦るように床面を払拭する。このとき、水拭き作業と同様に、もう一方の清掃面部３ａが床面に接触しないように、折曲部１ｄを軸として側面部４ｂを清掃面部３ｂ側に折り曲げる。本実施形態では、治具１０の側面部４ｂは、清掃面部３ｂとの境界である折曲部１ｄを軸として、清掃面部３ｂと鋭角を形成する方向に折り曲げることができるようになっている。これにより、ドライタイプの清掃シートＳ２のみを床面に接触させることができるので、水拭き作業により汚れたウェットタイプの清掃シートＳ１を床面に接触させずに床面の乾拭き作業を行うことができる。なお、水拭きと乾拭きの合間や乾拭き後に、図４〜７に示したようなゴミの捕集動作を行うことも可能である。
【００２６】
このように、本実施形態に係る掃除具１００は、可動柄３０が下方に押し込まれると、当該可動柄３０に取り付けられた締め具４０の挟み部材３５の一対の先端部３５ａ、３５ｂにより治具１０の一対の側面部４ａ、４ｂが内側に押圧され、当該一対の側面部４ａ、４ｂの下端部（折曲部１ａ、１ｄ）同士が当接するので、天面部２及び側面部４ａ、４ｂの各裏面でゴミ溜め６が形成されるとともに、このゴミ溜め６にゴミＤ１を捕集できることとなり、捕集したゴミＤ１をゴミ溜め６に溜めたまま清掃作業を続行することができる。すなわち、使用者がゴミＤ１を捨てたいタイミングでゴミＤ１を捨てることができる。
【００２７】
また、本実施形態に係る掃除具１００は、治具１０の側面部４ａ、４ｂが清掃面部３ａ、３ｂとの境界である折曲部１ａ、１ｄを軸として、清掃面部３ａ、３ｂと鋭角を形成する方向に折り曲げ可能であるので、清掃面部３ａ、３ｂの底面のうち一方の底面のみを床面に接触させることができることとなり、清掃面部３ａ、３ｂの底面に取り付けられた清掃シートＳ１、Ｓ２を有効に活用することができる。
【００２８】
特に、本実施形態では、清掃面部３ａ、３ｂの一方にウェットタイプの清掃シート、他方にドライタイプの清掃シートを取り付けたので、清掃シートを取り替えることなく水拭きと乾拭きを連続して行うことができ、拭き跡を残さないように払拭作業を行うことができる。
【００２９】
以上、本発明に係る実施形態に基づいて具体的に説明したが、本発明は上記実施形態に限定されるものではなく、その要旨を逸脱しない範囲で変更可能である。
【００３０】
例えば、上記実施形態では、締め具４０として、挟み部材３５で治具１０の側面部４ａ、４ｂを押圧する構成としたが、これに限定されるものではない。例えば、締め具４０として挟み部材３５の代わりにバネを利用し、バネによる付勢力で側面部４ａ、４ｂを常時押圧する構成とし、使用者が掃除具１００を使用する際は、側面部４ａ、４ｂを押し広げた状態で固定可能なストッパーに係合させる構成としてもよい。ゴミの捕集の際には、使用者が可動柄３０を押し込むことで、ストッパーの係合状態が解除され、バネによる付勢力で側面部４ａ、４ｂが押圧され、側面部４ａ、４ｂの下端部同士が当接される。
このように、締め具４０は、可動柄３０が下方に押し込まれた場合に、一対の側面部４ａ、４ｂを内側に押圧可能な構成であればいかなる構成であってもよい。
【００３１】
また、上記実施形態では、挟み部材３５の先端部３５ａ、３５ｂを予め治具１０の清掃面部３ａ、３ｂ上に設けられた固定部３６ａ、３６ｂで各々固定するようにしているが、これに限定されるものではない。例えば、可動柄３０の上下動に併せて挟み部材３５を上下動させるようにし、使用者により可動柄３０が押し込まれた際、挟み部材３５が下降して清掃面部３ａ、３ｂ上に設けられた固定部３６ａ、３６ｂに固定されるようにしてもよい。
【００３２】
また、上記実施形態では、治具１０の清掃面部３ａ、３ｂの大きさが同じ大きさとなるように構成されているが、これに限定されるものではない。例えば、治具１０の清掃面部３ａ、３ｂの短辺の長さの比が２：１となるように治具１０を構成してもよい。このような治具１０を用いた場合、使用する清掃シートＳ１、Ｓ２の大きさを大きいシートと小さいシートに分けて使用することができ、使用者が用途に応じてシート材のタイプを使い分けることができるので、使い勝手がよい。
【００３３】
また、上記実施形態では、清掃シートＳ１にウェットタイプのシート材、清掃シートＳ２にドライタイプのシート材、を用いることにしているが、これに限定されるものではない。清掃シートＳ１、Ｓ２の組み合わせは使用者の任意であり、例えば、清掃シートＳ１、Ｓ２ともにウェットタイプのシート材を用いるようにしてもよいし、ともにドライタイプのシート材を用いるようにしてもよい。
【符号の説明】
【００３４】
１００  掃除具
１０  治具
１ａ、１ｂ、１ｃ、１ｄ  折曲部
２  天面部
３ａ、３ｂ  清掃面部
４ａ、４ｂ  側面部
５  連結部
６  ゴミ溜め
２０  外柄
２１  （外柄の）底面
３０  可動柄
３１  円筒体
３２  支軸
３３  管状ストッパー
３４  スライド支持部
３５  挟み部材
３６ａ、３６ｂ  固定部
４０  締め具
Ｓ１、Ｓ２  清掃シート
【図１】
0005581161.tif 000002
【図２】
0005581161.tif 000003
【図３】
0005581161.tif 000004
【図４】
0005581161.tif 000005
【図５】
0005581161.tif 000006
【図６】
0005581161.tif 000007
【図７】
0005581161.tif 000008
【図８】
0005581161.tif 000009